(57)【要約】【課題】アーム断面を略凹状に形成してアームを軽量化したドアガードを作動させた状態すなわちアームとアーム係止具を係止させた状態においても外観上見苦しくなく、かつ小型軽量化されたドアガードを提供することを課題とする。【解決手段】扉又は扉枠のいずれか一方に略水平方向に回動可能に連結された断面凹形状のアームと、扉枠又は扉のいずれか一方に取り付けられたアーム係止具を備え、該アームを該アーム係止具側に所定角度回動した状態で開扉した場合該アームは該アーム係止具に係止されつつ相対移動し、該アームのストッパ部が該アーム係止具に当接することによりそれ以上の開扉が阻止されるドアガードにおいて、該アームの裏面をカバーで覆う。【選択図】図１
2006241794.tif 000002
【特許請求の範囲】
【請求項１】
扉又は扉枠のいずれか一方に略水平方向に回動可能に連結された断面凹形状のアームと、扉枠又は扉のいずれか一方に取り付けられたアーム係止具を備え、該アームを該アーム係止具側に所定角度回動した状態で開扉した場合、該アームは該アーム係止具に係止されつつ相対移動し、該アームのストッパ部が該アーム係止具に当接することによりそれ以上の開扉が阻止されるドアガードにおいて、該アームの裏面をカバーで覆うことを特徴とするドアガード。
【請求項２】
前記カバーは複数の掛止機構により前記アームに取り付けられることを特徴とする請求項１に記載のドアガード。
【請求項３】
前記カバーは樹脂製であることを特徴とする請求項１又は２に記載のドアガード。
【発明の詳細な説明】
【技術分野】
【０００１】
本発明は、開扉を所定角度に制限して無用の人の不法侵入を阻止することができるドアガードに関するものである。
【背景技術】
【０００２】
この種のドアガードは、略水平方向に回動するようにその基端部が扉内面に取り付けられるアームと、該アームを係止すべく扉枠に取り付けられるアーム係止具とを備えている。アームは全体として略Ｕ字状に形成されることによりその上下方向略中央には長手方向に沿ってスリットが延設され、その折曲側が先端側になり開口側が基端側となるように扉内面に軸支される。また、アーム係止具は頭部が膨大した係止突起を有しており、該頭部が挿入できるように、アームの上下両腕部はその基端部において部分的に上下に更に離間して、アームの基端部にスリットと連通しスリットよりも幅広の導入口が形成されている。
【０００３】
そして、扉内面に略沿った通常位置からアームを扉枠側に向けて所定角度起立させてガード位置とすると、扉枠から扉側に向けて、すなわち、扉が設置される扉枠の開口部内方に向けて略水平に突出した状態にあるアーム係止具の係止突起が、アームの導入口に挿入される。即ち、アームの上下両腕部間に係止突起が位置して、アームと係止突起とは上下に重合した状態となる。
【０００４】
かかるガード位置にアームをセットした後に開扉すると、係止突起は導入口からスリットへと進入してスリット内をアーム先端側へと相対移動する。係止突起がスリット内に進入すると、その頭部がアームの上下両腕部を内側から係止してその通常位置への復帰を阻止する。そして、扉が所定角度まで開くと、係止突起がアームの先端部（ストッパ部）に当接し、それにより、その角度以上の開扉が阻止される。
【０００５】
ところで、このようなドアガードには近年小型軽量化が要求されている。具体的には、従来のドアガードはアームの断面が略四角乃至略楕円形状をしており、このため必然的にアーム係止具の高さが高くなり、アーム係止具の高さが高いと室内外への荷物等の出し入れの際荷物がアーム係止具に当たったり、また、衣服を引っ掛けたりするおそれがある。
【０００６】
更に、アームの重量が大きく、人が室外へ出る際扉を強く閉めた場合扉と扉枠との衝突による衝撃によりアームが慣性により通常位置より起き上がり、意図せずドアガードが作動してしまい、再び室内に入ることが出来ない、所謂ロックアウト状態となるおそれがある。（下記特許文献１参照）
【０００７】
そのため、アーム断面を略凹状に形成してアームを軽量化するとともに、アームのスリット部の肉厚を薄くすることによりアーム係止部の高さを低くしたものが存在する。
【０００８】
しかしながら上記の如くアーム断面を略凹状に形成したドアガードでは、ドアガードを作動させた状態すなわちアームとアーム係止具を係止させた状態においてアーム裏面が外観面となって、ドアガードの利用者が常にアーム裏面を見ることになる。
【０００９】
一般的にこのようなドアガードのアームは例えばアルミダイカストのような金型鋳造で製作されることが多いが、この場合金型から製品を取り出すための押しピン跡がアームの裏面に残り外観上見苦しい。押しピン跡が外観上問題になるときは通常、バフ等により仕上げるのが一般的であるが、このような略凹状の形状の場合は仕上げが困難である。
【００１０】
又、アームの外観を良くするために、アーム全体に塗装等の表面処理を施すのが通常であるが、この場合も略凹状となっているアーム裏面には塗料等を均一に塗ることが難しく外観上見苦しくなっている。
【００１１】
【特許文献１】実開平６−２５４８２号公報
【発明の開示】
【発明が解決しようとする課題】
【００１２】
それゆえに本発明は上記従来の問題に鑑みてなされ、ドアガードを作動させた場合でも外観上見苦しくなく、かつ小型軽量化されたドアガードを提供することを課題とする。
【課題を解決するための手段】
【００１３】
上記課題を解決するため、請求項１にかかる発明は、扉又は扉枠のいずれか一方に略水平方向に回動可能に連結された断面凹形状のアームと、扉枠又は扉のいずれか一方に取り付けられたアーム係止具を備え、該アームを該アーム係止具側に所定角度回動した状態で開扉した場合、該アームは該アーム係止具に係止されつつ相対移動し、該アームのストッパ部が該アーム係止具に当接することによりそれ以上の開扉が阻止されるドアガードにおいて、該アームの裏面をカバーで覆うことを特徴とするドアガードである。
【００１４】
また、請求項２にかかる発明は、カバーは複数の掛止機構によりアームに取り付けられることを特徴とする請求項１に記載のドアガードである。
【００１５】
また、請求項３にかかる発明は、カバーは樹脂製であることを特徴とする請求項１又は２に記載のドアガードである。
【発明の効果】
【００１６】
請求項１に係る本発明によれば、扉（２）又は扉枠（１）のいずれか一方に略水平方向に回動可能に連結された断面凹形状のアーム（４）と、扉枠（１）又は扉（２）のいずれか一方に取り付けられたアーム係止具（３）を備え、該アーム（４）を該アーム係止具（３）側に所定角度回動した状態で開扉した場合、該アーム（４）は該アーム係止具（３）に係止されつつ相対移動し、該アーム（４）のストッパ部（７）が該アーム係止具（３）に当接することによりそれ以上の開扉が阻止されるドアガードにおいて、アームの裏面（５）をカバー（８）で覆うことにより押しピン跡（９）や塗装のムラを覆うことができ、ドアガードの見栄えを良くすることができる。
【００１７】
請求項２に係る本発明によれば、カバー（８）は複数の掛止機構（１０）によりアーム（４）に取り付けられることを特徴とする請求項１に記載のドアガードのカバーであり、カバー（８）をアーム（４）に取り付ける際に工具が不要であり、簡単に取り付けることができる。
【００１８】
請求項３に係る本発明によれば、カバー（８）は樹脂製であることを特徴とする請求項１又は２に記載のドアガードのカバーであり、カバー（８）を樹脂で作成することにより軽量化することができ、扉が急激に閉じられた場合でも、アーム（４）がロック方向に不用意に動いて扉（２）がロックされることがない。
【発明を実施するための最良の形態】
【００１９】
以下、図面を参照して発明を実施するための最良の形態について説明する。
【００２０】
＜実施の形態１＞
図１乃至図６は、本発明によるドアガードの第１の実施例を示す図である。尚、図においては図の断面を示すハッチングは省略されている。
【００２１】
図1、図２に示すように、このドアガードは、外開き用の扉２に二本の軸１１、１１を介し起倒可能すなわち回動可能に連結されたアーム４と、扉枠１に取り付けられたアーム係止具３とを備える。軸１１は夫々図示しない抜け止め手段を備えており、アーム４をベース部１２に回動可能に取り付けている。
【００２２】
アーム４は金属材料により形成されたＵ字形部材であり、図１に示すように、平行に伸びる二本のレール４ａ、４ｂと二本のレール４ａ、４ｂの一端を閉じる閉止片４ｃを具備する。アーム４は、二本のレール４ａ、４ｂが上下になって水平に伸びるように扉２の内表面２ａ上に配置される。
【００２３】
図１、図２に示すように、ベース部１２はネジ１８により扉２の内表面２ａ上に固定され、このベース部１２の上下の腕片１２ａ、１２ｂにアーム４の二本のレール４ａ、４ｂの他端を二本の軸１１、１１で回動可能に支持されることにより、アーム４がベース部１２に対して回動可能となり、扉２の内表面２ａ上において起倒可能となっている。尚、軸１１は腕片１２ａ、１２ｂ夫々に配置されるとしたが、一本の枢軸によりレール４ａ、４ｂの他端と腕片１２ａ、１２ｂを保持しアーム４をベース部１２に回動可能に取り付けることも可能である。更に、アーム４とベース部１２とを一体とする手段については他の手段であってもよく、例えば、ネジによってアーム４とベース部１２を一体としても良い。
【００２４】
アーム４とベース部１２の間には、クリックストップ機構がアーム４の位置決めのために設けられている。即ち、ベース部１２には軸１１の外周面に向けて図示しないコイルバネにより付勢された鋼球１３が内蔵されており、レール４ｂの他端の外周面１５には鋼球１３と凸凹係合する凹形状１４ｂが設けられており、鋼球１３と凹形状１４ｂが各々凸凹係合することにより、アーム４が起位置及び倒位置で保持可能となっている。本実施例では前記クリックストップ機構はレール４ｂの他端側に設けられることとしたが、レール４ａの他端側に設けてもよいし、レール４ａ、レール４ｂの両他端側に設けることも可能である。尚、凹形状を前記外周面１５の所定位置に複数箇所設けることによりアーム４を所定角度ごとに複数の位置及び姿勢で保持することができる。
【００２５】
アーム４には、閉扉状態でのアーム４の回動によりアーム係止具３が挿脱する挿脱孔１６と、開扉時にアーム係止具３をストップ位置までスライドする挿脱孔１６に連なる案内溝１７とが設けられる。
【００２６】
挿脱孔１６はアーム４のアーム係止具３側に形成される。具体的にはアーム４における二本のレール４ａ、４ｂ間であって、ベース部１２側に寄った箇所に形成される。この挿脱孔１６に対しアーム係止具３の膨出した頭部３ａが出入り可能である。
【００２７】
案内溝１７は、アーム４の二本のレール４ａ、４ｂ間に挿脱孔１６から閉止片４ｃに向かって伸びるように形成され、挿脱孔１６よりも小さい幅で形成される。
【００２８】
図１に示すように、アーム係止具３は扉枠１から扉２の内表面２ａに沿うように突出し、その先端には頭部３ａが膨出形成される。頭部３ａは挿脱孔１６の開口よりも小さく、閉扉状態においてアーム４を扉２の内表面２ａ上で起こし又は倒すと、アーム４の挿脱孔１６に入り込み又は離脱する。また、頭部３ａは案内溝１７の幅よりも大きく、アーム係止具３が案内溝１７内に入った後はアーム４の扉２上での倒動作は不能になる。
【００２９】
アーム４の内周面には複数の取付穴１０ａが設けられており、カバー８に前記取付穴１０ａに相対する複数の爪１０ｂが設けられており、前記取付穴１０ａと前記爪１０ｂからなる掛止機構１０によりカバー８がアーム４に取り付けられている。カバー８は樹脂で形成されるのが望ましいが、金属でも良い。また、取付穴１０ａはアーム４の内周面と外周面を貫通せず、アーム４の内周面に設けられた凹形状であっても良い。
【００３０】
＜実施の形態２＞
図７乃至図９は、本発明によるドアガードの第２の実施例を示す図である。尚、実施例１と同じ構成については説明を省略する。
【００３１】
図９に示すように、カバー８は断面において略Ｃ型をしており、端部にはアーム４の先端部４ｄからカバー８を差し込んだ時の外れ止めである折り返し部８ａが設けられている。
【００３２】
カバー８の折り返し部８ａの先端部には凸部８ｂが設けられており、アーム４の付け根部４ｅには前記凸部８ｂに相対する凹部４fが設けられており、前記凸部８ｂと前記凹部４ｆからなる掛止機構によりカバー８がアーム４に取り付けられている。尚、前記掛止機構はアーム４のレール４ａの片側又は両側に設けられる。
【００３３】
以上本発明の好ましい実施の形態について説明したが、本発明はこれらの実施の形態に限定されるものではない。
【図面の簡単な説明】
【００３４】
【図１】本発明の第１の実施例の正面図である。
【図２】本発明の第１の実施例の平面断面図である。
【図３】図１中、Ａ−Ａ断面図である。
【図４】本発明の第１の実施例でアームを起こした状態の側面図である。
【図５】図４中、Ｂ−Ｂ断面図である。
【図６】本発明のドアガードを作動させた状態のＢ−Ｂ断面図である。
【図７】本発明の第２の実施例の正面図である。
【図８】本発明の第２の実施例の平面断面図である。
【図９】図７中、Ｃ−Ｃ断面図である。
【図１０】従来のドアガードでアームを起こした状態の側面図である。
【符号の説明】
【００３５】
１          扉枠
２          扉
３          アーム係止具
４          アーム
５          アームの裏面
６          アーム先端側
７          ストッパ部
８          カバー
９          押しピン跡
１０        係止機構
１１        軸
１２        ベース部
１３        鋼球
１４        凹形状
１５        外周面
１６        挿脱孔
１７        案内溝
【図１】
2006241794.tif 000003
【図２】
2006241794.tif 000004
【図３】
2006241794.tif 000005
【図４】
2006241794.tif 000006
【図５】
2006241794.tif 000007
【図６】
2006241794.tif 000008
【図７】
2006241794.tif 000009
【図８】
2006241794.tif 000010
【図９】
2006241794.tif 000011
【図１０】
2006241794.tif 000012